(57)【要約】【課題】リーダ・ライタ用アンテナを複数近接して配置させた場合に、近隣のアンテナ同士が干渉することなく、良好に通信できるようにする。【解決手段】非接触無線タグを有するメディア又はメディアケースを複数収納するシステムに適用される。そして、メディア又はメディアケースが配置されるそれぞれの収納位置に対応して配置された複数のリーダ・ライタ用アンテナ２１ａ，２１ｂ，２１ｃ・・・と、その複数のリーダ・ライタ用アンテナの内で、通信を行うリーダ・ライタ用アンテナを選択する選択手段とを有する。そして、選択手段で選択されたリーダ・ライタ用アンテナを、無線通信を行う周波数に対応した第１の共振周波数ｆ１とし、少なくともその第１の共振周波数ｆ１のリーダ・ライタ用アンテナに隣接して配置されたリーダ・ライタ用アンテナを、第１の共振周波数ｆ１と異なる第２の共振周波数ｆ２とする。【選択図】図１
2010211537.tif 000002
【特許請求の範囲】
【請求項１】
リーダ・ライタに接続されたアンテナと無線通信を行う非接触無線タグを有するメディア又はメディアケースを複数収納して管理するディスク管理システムにおいて、
前記メディア又はメディアケースが配置されるそれぞれの収納位置に対応して配置された複数のリーダ・ライタ用アンテナと、
前記複数のリーダ・ライタ用アンテナの内で、通信を行うリーダ・ライタ用アンテナを選択する選択手段と、
前記選択手段で選択されたリーダ・ライタ用アンテナを、前記無線通信を行う周波数に対応した第１の共振周波数とし、少なくともその第１の共振周波数のリーダ・ライタ用アンテナに隣接して配置されたリーダ・ライタ用アンテナを、前記第１の共振周波数と異なる第２の共振周波数としたことを特徴とするメディア管理システム。
【請求項２】
請求項１記載のディスク管理システムにおいて、
前記リーダ・ライタ用アンテナは、コイルと第１のコンデンサと第２のコンデンサとを並列接続して構成される共振回路を備え、
前記第２のコンデンサの接続と非接続の切り替えで、前記第１の共振周波数と前記第２の共振周波数を切り替えることを特徴とするメディア管理システム。
【請求項３】
近接した非接触無線タグと無線通信を行うアンテナを複数並べて配置し、
その複数並べて配置したアンテナの内の選択されたアンテナを通信回路に接続して、前記非接触無線タグと無線通信を行って、前記非接触無線タグからの読み出し及び／又は前記非接触無線タグへの書き込みを行うリーダ・ライタにおいて、
前記選択されたアンテナを、前記無線通信を行うための第１の共振周波数とし、
少なくともその第１の共振周波数のアンテナに隣接したアンテナを、第２の共振周波数としたことを特徴とするリーダ・ライタ。
【発明の詳細な説明】
【技術分野】
【０００１】
本発明は、ケースに収納されたディスクなどのメディアを管理するメディア管理システム及びそのシステムに適用されるリーダ・ライタに関する。
【背景技術】
【０００２】
従来、ＣＤ（Compact Disc），ＤＶＤ（Digital Versatile Disc）などのディスクメディアを管理する手法として、ディスクの一部にＲＦＩＤ（Radio Frequency IDentification）タグを貼付けて、必要な際にそのＲＦＩＤタグの情報を読み書きするものがある。例えば、図書館などの多くのディスクメディアを保管する場所において、保管する１枚１枚のディスクの表面に、それぞれの識別コードなどを書き込んだＲＦＩＤタグを貼付けておく。そして、ディスクの貸し出しや返却などの受付け時に、ディスクのＲＦＩＤタグをリーダ・ライタで読み取って、貸し出しの管理を行う。このようにすることで、貸し出し中のディスクなどが判り、ディスクの管理が容易に行えるようになる。
【０００３】
このように１枚ずつのディスクにＲＦＩＤタグを貼付けて、ディスクの貸し出しや返却時に、リーダ・ライタでＲＦＩＤタグを読み取らせることで、ディスク管理が行えるが、あくまでもリーダ・ライタに１枚ずつディスクを近接させて、読み取らせる必要がある。
【０００４】
これに対して、収納棚にディスクを収納させた状態で、各ディスクに貼付けたＲＦＩＤタグを読み取らせることについて提案されている（特許文献１参照）。
図７〜図９は、この先に提案されているシステムの例を示したものである。
まず図７（ａ）に示すようにＤＶＤなどの管理したいディスク１を用意し、ＲＦＩＤタグ２ｂとコイルアンテナ２ｃとが貼られたタグシート２を用意する。そして、図７（ｂ）に示すように、ディスク１の信号記録面とは反対側の面（いわゆるレーベル面）に、そのタグシート２を貼付ける。図７の例では、ディスク１の中心の孔１ａの周囲に、タグシート２を貼付けるようにしてある。タグシート２には、ディスク１の孔１ａよりも若干大きな孔２ａを有する。
【０００５】
図７（ｂ）に示すように、ディスク１にタグシート２を貼付け、このディスク１の中心付近（即ちタグシート２の箇所）を図示しないリーダ・ライタに近接させることで、リーダ・ライタからの電磁誘導による近距離無線通信で、ＲＦＩＤタグ２ｂ内のメモリからデータが読み出されると共に、必要によりデータがＲＦＩＤタグ２ｂ内のメモリに書き込まれる。ここでのリーダ・ライタとＲＦＩＤタグ２ｂとの近距離無線通信とは、例えば数センチ程度の近距離を想定している。
【０００６】
しかしながら、この図７に示したようにディスク１に直接タグシート２を貼付けた場合、合成樹脂で成形されたディスクケースにディスク１を収納させて、複数のディスクケースを並べて収納棚に収めた状態では、リーダ・ライタによる読み取りは困難である。
【０００７】
特許文献１に記載の技術は、この問題を解決するものであり、合成樹脂で成形されたディスクケース１０として、収納されたディスクの中心近傍と、ケース１０の端面１７とを結ぶブースタアンテナ３を設けたものである。
ディスクケース１０は、下ケース１１と、その下ケース１１の上に配置されるディスクトレイ１３と、蓋上の上ケース１２との３分割構造としてあり、下ケース１１にディスクトレイ１３が接合される。
ディスクトレイ１３の載置面１４の中心のディスク保持機構１５には、ディスク１の孔１ａ（図７）が嵌められて、ディスク１が保持される。上ケース１２は、２つの支点部１８が、下ケース１１側の孔１６に挿入されて、開閉自在に取付けられる。
【０００８】
ブースタアンテナ３は、下ケース１１とディスクトレイ１３との間に配置される。ブースタアンテナ３は、第１コイル部３ａと第２コイル部３ｃとを有し、両コイル部３ａ，３ｃを図示しない同調回路で接続してある。第１コイル部３ａは、円形に線材を巻回させてあり、ディスクトレイ１３のディスク保持機構１５の裏側に配置してある。第２コイル部３ｃは、横長の四角形に線材を巻回させてあり、下ケース１１の端面（側面）１７に配置してある。
【０００９】
この図８に示したディスクケース１０に、タグシート２を貼付けたディスク１を入れることで、このディスクケース１０の端面１７に近接したリーダ・ライタが、ブースタアンテナ３を経由して、タグシート２のＲＦＩＤタグ２ｂと通信を行うことになる。
【００１０】
即ち、無線通信状態を図９に示すと、ディスク１のＲＦＩＤチップ２ｂに同調回路２ｄを介して接続されたコイルアンテナ２ｃは、ブースタアンテナ３の第１コイル部３ａと近接し、信号の送受信が行われる。
ブースタアンテナ３の第１コイル部３ａは、同調回路３ｂを介して第２コイル部３ｂと接続してあり、この第２コイル部３ｂが、リーダ・ライタ４のコイルアンテナ４ａと近接することで、リーダ・ライタ４側と送受信が可能となる。コイルアンテナ４ａは、同調回路４ｂを介してリーダ・ライタ４の主回路４ｃと接続してあり、主回路４ｃからコイルアンテナ４ａ側に磁束を出力する。
【００１１】
このように図８に示したブースタアンテナ３をディスクケース１に取付けて、図９に示したようにこのブースタアンテナ３で中継させ、ディスクケース１の端面１７にリーダ・ライタを近接させることで、ディスク１に貼付けたＲＦＩＤタグ２ｂの読み書きが可能となる。
【００１２】
非特許文献１には、図書館における蔵書や貸出しの在出庫管理において、ＲＦＩＤタグを該当品に貼付けて、シェルフアンテナと高出力型リーダ・ライタを用い、１０〜２０枚単位でＲＦＩＤタグの情報を一括で読み取りを行うことについての記載がある。
【先行技術文献】
【特許文献】
【００１３】
【特許文献１】特開２００８−２０７８７５号公報
【非特許文献】
【００１４】
【非特許文献１】ＩＴ図書館システム  株式会社内田洋行http://www.uchida.co.jp/ulius/index.html
【発明の概要】
【発明が解決しようとする課題】
【００１５】
従来の非特許文献１に記載された如き構成の図書館用の管理システムは、例えば４Ｗ程度の高出力のリーダ・ライタを用い、シェルフアンテナ上のＲＦＩＤタグを複数枚一括読みする方式であり、１枚を特定して読む方式では無い。従って、１枚１枚のディスクの正確な収納位置を判断して管理することは、従来のシステムでは困難である。
【００１６】
収納棚などに配置された１枚１枚のディスクに貼り付けたＲＦＩＤタグの情報を読み出すためには、収納するディスクケースの数に対応して複数のリーダ・ライタ用アンテナを配置して、それぞれのアンテナで、そのアンテナと近接したディスクケース側と個別に無線通信を行う構成とすることが考えられる。
ところが、複数のリーダ・ライタ用アンテナを近接させて配置した場合、各ＲＦＩＤタグと無線通信する周波数は同じであるため、それぞれのアンテナは全て同一の共振周波数を持つが、その近接配置された同一共振周波数のアンテナ同士が干渉を起こして、相互に本来の特性を出すことができない問題がある。
【００１７】
本発明はかかる点に鑑みてなされたものであり、リーダ・ライタ用アンテナを複数近接して配置させた場合に、近隣のアンテナ同士が干渉することなく、良好に通信できるようにすることを目的とする。
【課題を解決するための手段】
【００１８】
本発明は、リーダ・ライタに接続されたアンテナと無線通信を行う非接触無線タグを有するメディア又はメディアケースを複数収納して管理するメディア管理システムに適用される。
構成としては、メディア又はメディアケースが配置されるそれぞれの収納位置に対応して配置された複数のリーダ・ライタ用アンテナと、その複数のリーダ・ライタ用アンテナの内で、通信を行うリーダ・ライタ用アンテナを選択する選択手段とを有する。
そして、選択手段で選択されたリーダ・ライタ用アンテナを、無線通信を行う周波数に対応した第１の共振周波数とし、少なくともその第１の共振周波数のリーダ・ライタ用アンテナに隣接して配置されたリーダ・ライタ用アンテナを、第１の共振周波数と異なる第２の共振周波数とする。
【発明の効果】
【００１９】
本発明によると、複数配置されたリーダ・ライタ用アンテナの内で、無線通信を行うように選択されたアンテナを、無線通信用の第１の共振周波数として、少なくともその選択されたアンテナに隣接した他のアンテナを、第１の共振周波数と異なる第２の共振周波数に設定することで、無線通信を行うアンテナとそのアンテナに隣接した他のアンテナとが相互干渉することがなくなる。従って、比較的狭い間隔で複数のアンテナを並べて配置した場合でも、それぞれのアンテナで、近接した非接触無線タグと良好に無線通信できるようになる。
【図面の簡単な説明】
【００２０】
【図１】本発明の一実施の形態の例による共振周波数の設定状態の例を示した説明図である。
【図２】本発明の一実施の形態の例による回路構成例を示した回路図である。
【図３】本発明の一実施の形態の例による装置の一部を破断して示す斜視図である。
【図４】図３例の装置でディスクケースを収納した状態を示す斜視図である。
【図５】本発明の一実施の形態によるシステム構成例を示すブロック図である。
【図６】本発明の一実施の形態の他の例による回路構成例を示した回路図である。
【図７】ディスクにタグシートを張り付けた状態の例を示す説明図である。
【図８】ブースタアンテナ付きのディスクケースの構成例を示す説明図である。
【図９】ディスクとリーダ・ライタとの通信状態の例を示す構成図である。
【発明を実施するための形態】
【００２１】
以下、本発明の一実施の形態を、図１〜図６を参照して説明する。
本実施の形態においては、背景技術の欄で図７〜図９を用いて説明した、ディスク１の中心部の近傍に、ＲＦＩＤチップ２ｂ及びコイルアンテナ２ｃを配置したタグシート２を貼り付けたものを使用する。そのディスク１を収納するディスクケース１０についても、図８に示したようにブースタアンテナ３を備えて、ケースの端面１７に近接させたリーダ・ライタ用のアンテナで通信できる構成としたものを用意する。なお、本実施の形態においては、ＲＦＩＤチップ２ｂがブースタアンテナ３を介してリーダ・ライタとの間で近距離無線通信を行う通信方式については特に説明をしないが、ＲＦＩＤ用として既に実用化されている各種方式が適用可能である。無線通信を行う周波数としては、ここでは１３．５６ＭＨｚを共振周波数として、リーダ・ライタとＲＦＩＤとの間で通信を行う。
【００２２】
図１は、本実施の形態の収納棚２０の概要と、その収納棚２０に配置したコイルアンテナ２１ａ，２１ｂ，２１ｃ，・・・の状態（共振周波数の設定状態）を示した図である。
図１に示すように、収納棚２０のケース載置面２０ａには、複数枚のディスクケース１０ａ，１０ｂを並べて置いた状態を示してある。ディスクケース１０ａはリーダ・ライタでケース内のディスクのＲＦＩＤチップと通信を行うものであり、その周囲の各ディスクケース１０ｂは、図１の状態では通信を行わないものとしてある。
【００２３】
収納棚２０の１つ１つのディスクケースの配置位置には、コイルアンテナ２１ａ，２１ｂ，２１ｃ・・・が埋め込んである。本実施の形態の各コイルアンテナ２１ａ，２１ｂ，２１ｃ・・・は、ディスクケースの底面の幅に合わせて幅の狭い四角い形状としてあり、ディスクケースが収納される間隔と同じ間隔で並んでいる。
【００２４】
そして図１に示すように、ディスクケース１０ａ内のディスクのＲＦＩＤチップと、そのディスクケース１０ａと近接したコイルアンテナ２１ｃとで無線通信を行うことを想定し、コイルアンテナ２１ｃをリーダ・ライタの無線通信回路と接続する。この無線通信回路との接続は、後述する切り替えスイッチ４４（図５参照）により行われる。
【００２５】
ここで本例においては、コイルアンテナ２１ｃは共振周波数を第１の周波数ｆ１とし、その他のコイルアンテナ２１ａ，２１ｂ，２１ｄ，２１ｅ，２１ｆについては、第１の周波数ｆ１とは異なる第２の周波数ｆ２とする。
第１の周波数ｆ１は、無線通信を行う周波数である１３．５６ＭＨｚとしてあり、第２の周波数ｆ２は、これとは別の周波数としてある。
なお、無線通信を行うコイルアンテナが別のアンテナに切り替わった場合には、そのとき無線通信に使用されるコイルアンテナが共振周波数ｆ１となり、残りのコイルアンテナが共振周波数ｆ２に変化する。
このように共振周波数を設定することで、コイルアンテナ２１ｃによる無線通信中には、近隣の他のコイルアンテナ２１ａ，２１ｂ，２１ｄ，２１ｅが全て、共振周波数ｆ１とは異なる共振周波数ｆ２となり、コイルアンテナ２１ｃと他のコイルアンテナとの相互干渉を防ぐことができる。
【００２６】
図２は、１つのコイルアンテナの回路構成を示した図である。
ＲＦ入力端子５１に送信信号が供給され、制御信号入力端子５２に共振周波数切り替え信号が供給される。ＲＦ入力端子５１は、コンデンサＣ４とダイオードＤ１を介して、コイルＬ１とコンデンサＣ１の一端に接続してあり、コイルＬ１とコンデンサＣ１の他端を接地電位部に接続してある。またダイオードＤ１とコイルＬ１との接続点には、コンデンサＣ２の一端が接続してあり、このコンデンサＣ２の他端が、スイッチＳ１の一方の固定接点Ｓａに接続してある。スイッチＳ１の他方の固定接点Ｓｂは、抵抗器Ｒ１を介して接地電位部に接続してあり、可動接点Ｓｍは、直接、接地電位部に接続してある。
【００２７】
スイッチＳ１の可動接点Ｓｍの接続状態は、制御信号入力端子５２に得られる信号で制御される。即ち、制御信号入力端子５２は、抵抗器Ｒ３とコイルＬ２との直列回路を介して、コンデンサＣ４とダイオードＤ１の接続点に接続させてあり、抵抗器Ｒ３とコイルＬ２との接続点に得られる信号で、スイッチＳ１の可動接点Ｓｍの接続を制御する構成としてある。なお、抵抗器Ｒ３とコイルＬ２との接続点には、抵抗器Ｒ２の一端とコンデンサＣ３の一端とが接続してあり、抵抗器Ｒ２の他端とコンデンサＣ３の他端を接地電位部に接続してある。
このように構成したことで、制御信号入力端子５２に得られる信号がハイレベル“Ｈ”であるとき、スイッチＳ１がオン状態となって、可動接点Ｓｍが一方の固定接点Ｓａと接続状態となり、コンデンサＣ２がコンデンサＣ１と並列に接続された状態となる。制御信号入力端子５２に得られる信号がローレベル“Ｌ”であるときには、スイッチＳ１がオフ状態となって、可動接点Ｓｍが他方の固定接点Ｓｂと接続状態となる。
【００２８】
このようにコイルアンテナが構成されることで、このコイルアンテナは、コイルＬ１とコンデンサＣ１，Ｃ２の定数でアンテナとしての共振周波数が決まる。但しコンデンサＣ２はスイッチＳ１がオン状態のときだけ接続される素子であり、スイッチＳ１がオン状態のときには、コイルＬ１とコンデンサＣ１の定数でアンテナとしての共振周波数が決まる。
【００２９】
ここで共振周波数の例を示すと、例えばコイルＬ１＝１．１μＨ、コンデンサＣ１＝２２ｐＦ、コンデンサＣ２＝１００ｐＦとする。
このとき、スイッチＳ１がオン状態の場合には、共振周波数ｆ１が以下の式で決まる。
ｆ１＝１／２π√Ｌ×（Ｃ１＋Ｃ２）
＝１／２π√１．１×１２２Ｅ―１８
＝１３．７ＭＨｚ
また、スイッチＳ１がオフ状態の場合には、共振周波数ｆ２が以下の式で決まる。
ｆ２＝１／２π√Ｌ×Ｃ１
＝１／２π√１．１×２２Ｅ―１８
＝３２ＭＨｚ
【００３０】
このように、スイッチＳ１の切り替えで、第１の共振周波数ｆ１である１３．７ＭＨｚと、第２の共振周波数ｆ２である３２ＭＨｚとを切り替えることができる。
なお、Ｃ１＞＞Ｃ２とすることで、２つの共振周波数ｆ１，ｆ２の差分は、大きくなる。通信時の相互干渉を防ぐ点から、この２つの共振周波数ｆ１，ｆ２の差分を大きくすることは重要である。
【００３１】
図３及び図４は、このようコイルアンテナが組み込まれる本実施の形態の収納棚２０の構成例を示した図である。
収納棚２０は、底板２２の上に仕切り板２３が一定の間隔で配置してあり、この仕切り板２３で仕切られる位置に、１つのディスクケース１０を置くことができる。ディスクケース１０を置く際には、各ディスクケース１０の端面１７（図８参照）を下側にしておく。この端面１７は、ブースタアンテナ３の第２コイル部３ｃが配置された面である。
【００３２】
仕切り板２３で仕切られた各ディスクケースの収納場所の底板２２には、コイルアンテナ２１ａ，２１ｂ，・・・，２１ｍ，２１ｎ（ｎは任意の整数）が内蔵させてある。この複数のコイルアンテナ２１ａ〜２１ｎは、リーダ・ライタ用のアンテナとして機能するものであり、ディスクケースの収納場所に沿って細長い形状に導体を所定の複数回巻回させたアンテナである。
【００３３】
また、図３に示すように、底板２２の前端部には、各ディスクケースの収納位置に対応して、発光手段であるＬＥＤ（発光ダイオード）３１ａ，３１ｂ，・・・，３１ｍ，３１ｎが配置してある。このＬＥＤ３１ａ〜３１ｎの点灯は、ディスクケースの収納状態に応じて制御される。点灯制御の詳細については後述するが、例えば、図４に示すようにディスクケースが正しい位置に収納された場合に、その収納位置の下のＬＥＤを点灯させる。
【００３４】
なお、図３及び図４では数個のディスクケース１０が収納される構成を示してあるが、実際には数十個あるいは百個以上のディスクケース１０を収納できる棚として構成される。また、図３では右端のディスクケース１０だけ内部にディスクが収納されている状態を示しているが、その他のディスクケース１０についても内部にディスクが収納されている。
【００３５】
次に、図３及び図４の構成の収納棚２０に接続されるリーダ・ライタなどの構成を、図５を参照して説明する。
収納棚２０の底板２２に配置した各コイルアンテナ２１ａ〜２１ｎは、図５に示すように、切り替えスイッチ４４に接続してあり、そのスイッチ４４を介してリーダ・ライタ４２と接続される。切り替えスイッチ４４は、管理部４１からの指令に基づいて、アンテナ制御部４３が切り替え制御する。例えばアンテナ制御部４３の制御で、切り替えスイッチ４４は、複数のコイルアンテナ２１ａ〜２１ｎを所定時間ごとに順に選択して接続させる切り替え処理を行う。例えばコイルアンテナ２１ａ〜２１ｎが１００個である場合、その１００個のコイルアンテナ２１ａ，２１ｂ，・・・を順に選択して、リーダ・ライタ４２に接続させて、その接続されたコイルアンテナで通信を行う。
【００３６】
またアンテナ制御部４３は、各コイルアンテナ２１ａ〜２１ｎの制御信号入力端子５２（図２参照）に対して、スイッチＳ１のオン・オフ制御信号を供給する。この制御信号は、通信中のコイルアンテナのスイッチＳ１をオン状態とし、他のコイルアンテナのスイッチＳ１をオフ状態とする信号である。
【００３７】
各コイルアンテナ２１ａ〜２１ｎが接続されるリーダ・ライタ４２は、接続されたコイルアンテナから磁束を出力させて、ブースタアンテナ３を介して近接したＲＦＩＤチップと無線通信を行って、そのＲＦＩＤチップからデータを読み出すと共にデータを書き込ませる処理が行われる。このリーダ・ライタ４２による読み出し及び書き込みについては、近距離無線通信により読み書きを行うリーダ・ライタとして一般的なものが適用可能である。
【００３８】
リーダ・ライタ４２は、ディスクの管理を行う管理部４１に接続してある。この管理部４１とその周辺の処理部は、例えばパーソナルコンピュータ装置とその周辺機器で構成される。
リーダ・ライタ４２は、タグシート２側のＲＦＩＤチップから通信で得たデータを管理部４１に送ると共に、管理部４１から供給された書き込ませる必要のあるデータを、タグシート２側のＲＦＩＤチップに送信させる。
管理部４１には、収納棚２０で保管するディスクについてのデータを、データベース４８として保持する。このデータベース４８は、ディスクのコード番号や、ディスクに記録されたコンテンツに関するディスクなどの他に、どの収納棚２０のどの位置に配置されるのかのデータや、貸し出し中か否かなどのデータが保存される。
【００３９】
管理部４１には、ディスプレイ４５が接続してあり、ディスプレイ４５で管理状態を表示させることができる。また、キーボードなどの入力部４６を備えて、各種データの入力が行える構成としてある。
さらに、収納棚２０に配置したＬＥＤ３１ａ〜３１ｎの点灯を制御する点灯制御部４７を備え、管理部４１からの指令で、各ＬＥＤ３１ａ〜３１ｎを個別に点灯させることができる。例えば図２に示すように、ディスクケース１０が置かれた位置に対応した特定のＬＥＤ例えば３１ｂのみを点灯させることも可能である。
【００４０】
以上説明した構成とすることで、ＲＦＩＤチップと通信を行う際には、ＲＦＩＤチップが貼り付けられたディスクが収納されたディスクケース（図１でのディスクケース１０ａ）と通信中のアンテナ（図１でのコイルアンテナ２１ｃ）については、無線通信するのに適した共振周波数ｆ１となり、その他のアンテナについては、異なる共振周波数ｆ２となり、通信中のアンテナが、隣接した他のアンテナと相互干渉することがなくなる。従って、リーダ・ライタ用の通信回路に接続されたアンテナと、ＲＦＩＤチップとの無線通信が良好に行え、特定の１枚のディスクに貼り付けられたＲＦＩＤチップと確実に通信ができる。
このように特定の１枚のディスク側と通信できることで、ディスクの収納位置を判別することができ、ディスクの管理が良好に行える効果を有する。即ち、収納棚に置かれた全てのディスクについて、データベースに登録されたディスクと一致するか否かの管理が行え、また、それぞれのディスクの収納位置が正しいかについても判るようになる。
【００４１】
図６は、コイルアンテナの他の回路構成を示した図である。この例では、各コイルアンテナ２１ａ，２１ｂ，２１ｃ・・・として、それぞれコイルＬ１とコンデンサＣ１との並列回路を用意する。そして、リーダ・ライタ４２の出力端子を、第１の切り替えスイッチＳ１１の可動接点に接続する。この第１の切り替えスイッチＳ１１の各固定接点は、それぞれのコイルアンテナ２１ａ，２１ｂ，２１ｃ・・・を構成するコイルＬ１とコンデンサＣ１との並列回路の一端に個別に接続する。コイルＬ１とコンデンサＣ１との並列回路の他端は接地側に接続する。
さらに、それぞれのコイルアンテナ２１ａ，２１ｂ，２１ｃ・・・を構成するコイルＬ１とコンデンサＣ１との並列回路の一端を、第２の切り替えスイッチＳ１２の各固定接点に接続する。この第２の切り替えスイッチＳ１２の可動接点は、コンデンサＣ２を介して接地側に接続する。
第１の切り替えスイッチＳ１１と第２の切り替えスイッチＳ１２は、通信を行うアンテナの切り替えに連動して切り替わるスイッチである。
【００４２】
この図６に示す構成としたことで、通信中のアンテナについては、第１の切り替えスイッチＳ１１でリーダ・ライタ４２が接続されると共に、第２の切り替えスイッチＳ１２を介してコンデンサＣ２が接続され、コイルＬ１とコンデンサＣ１，Ｃ２で共振周波数が決まる。これに対して、その他のアンテナについては、コンデンサＣ２が接続されず、コイルＬ１とコンデンサＣ１で共振周波数が決まる。従って、図２の例と同じ共振周波数ｆ１，ｆ２が設定され、図２の例と同様の効果を有する。
【００４３】
なお、上述した実施の形態で各図に示した構成や処理は、好適な一例を示したものであり、本発明は、これらの構成や処理に限定されるものではない。例えば、図２や図６以外の回路構成としてもよい。
【００４４】
また、本実施の形態においては、図７に示すようにＲＦＩＤタグが取付けられたシートをディスクの中心近傍に貼付けたものを使用したが、その他の構成でディスクにＲＦＩＤタグが取付けたれたものに適用してもよい。例えば、ディスクにＲＦＩＤタグが埋め込まれたものに適用してもよい。或いは、ディスクケースにＲＦＩＤタグが貼付けられたものにも適用が可能である。さらに、ディスク以外のＲＦＩＤタグが貼付けられた（埋め込まれた）メディアを収納する棚などで管理を行う場合にも適用可能である。
【００４５】
また、上述した実施の形態では、アンテナの共振周波数を変える処理として、通信中のアンテナ以外の全てのアンテナの共振周波数を変えるようにした。このように通信中以外の全てのアンテナの共振周波数を変えるのが好ましいが、少なくとも通信中のアンテナに隣接して配置されたアンテナの共振周波数を変え、その他のアンテナについては、共振周波数を変えない構成としてもよい。
【符号の説明】
【００４６】
１…ディスク、１ａ…孔、２…タグシート、２ａ…孔、２ｂ…ＲＦＩＤチップ、２ｃ…コイルアンテナ、２ｄ…同調回路、３…ブースタアンテナ、３ａ…第１コイルアンテナ、３ｂ…同調回路、３ｃ…第２コイルアンテナ、４…リーダ・ライタ、４ａ…コイルアンテナ、４ｂ…同調回路、４ｃ…主回路、１０，１０ａ，１０ｂ…ディスクケース、１１…下ケース、１２…上ケース、１３…ディスクトレイ、１４…ディスク載置部、１５…ディスク保持機構、１６…孔、１７…端面、１８…支点部、２０…収納棚、２１ａ〜２１ｎ…コイルアンテナ、２２…底板、２３…仕切り板、３１ａ〜３１ｎ…ＬＥＤ、４１…管理部、４２…リーダ・ライタ、４３…アンテナ制御部、４４…切り替えスイッチ、４５…ディスプレイ、４６…入力部、４７…点灯制御部、４８…データベース、５１…ＲＦ入出力端子、５２…制御信号入力端子
【図１】
2010211537.tif 000003
【図２】
2010211537.tif 000004
【図３】
2010211537.tif 000005
【図４】
2010211537.tif 000006
【図５】
2010211537.tif 000007
【図６】
2010211537.tif 000008
【図７】
2010211537.tif 000009
【図８】
2010211537.tif 000010
【図９】
2010211537.tif 000011